(57)【要約】【課題】個々のガバナに対して、適正な時期に点検を行うことができるようにする。【解決手段】３系列ガバナシステム２３のガバナ４１，４２，４３に対して、ガバナ開度センサ８１，８２，８３による弁開度検出を行い、監視装置９０で稼働状態を監視する。コンピュータ９１は、圧力センサ９６が検出する二次圧力おＰ２なども用いて、各ガバナ４１，４２，４３の吐出量を算出し、時間的に累積する。累積吐出量が規定値以上になると、点検整備のメンテナンスを行う時期と判断する。【選択図】　　　図１
2004094658.tif 000002
【特許請求の範囲】
【請求項１】
流体を負荷に供給する圧力を一定に保つために設置するガバナのメンテナンス管理方法であって、
複数のガバナの稼働状態を監視し、
各ガバナ毎に累積稼働量を算出し、
算出した累積稼働量が規定値に達するガバナについて、メンテナンス管理を行うことを特徴とするガバナのメンテナンス管理方法。
【請求項２】
前記累積稼働量は、前記ガバナから負荷への前記流体の吐出量の累積値であることを特徴とする請求項１記載のガバナのメンテナンス管理方法。
【請求項３】
前記累積稼働量は、前記ガバナの開度の累積値であることを特徴とする請求項１記載のガバナのメンテナンス管理方法。
【請求項４】
前記ガバナは、複数基を並列に接続する多系列ガバナシステムを構成し、
各系列のガバナ毎に前記累積吐出量に基づくメンテナンスを行うことを特徴とする請求項１〜３のいずれかに記載のガバナのメンテナンス管理方法。
【請求項５】
前記流体は都市ガスであり、
ガバナの管理センタを開設し、
該管理センタは、
前記ガバナの稼働状態の監視を、情報通信ネットワークを介する情報収集によって行い、
前記メンテナンス管理として、整備を促す勧告を行うこと特徴とする請求項１〜４のいずれかに記載のガバナのメンテナンス管理方法。
【発明の詳細な説明】
【０００１】
【発明の属する技術分野】
本発明は、都市ガスなどの流体を、負荷に供給する際に、負荷流量が変動しても、供給圧力を一定に保つことができるガバナのメンテナンス管理方法に関する。
【０００２】
【従来の技術】
従来から、都市ガスをなどの流体を輸送して負荷に供給する管路には、複数のガバナが設けられている。流体は、輸送の効率を上げ、輸送途中の圧力損失の影響を受けないようにするため、負荷に供給する圧力よりも高い圧力で輸送される。ガバナは、整圧器とも呼ばれ、一次側と二次側との間で減圧を行い、かつ流体の供給流量が変動しても二次圧力の変化が小さいようにする整圧作用を行う。
【０００３】
都市ガスは、一般に、大気圧の空気で燃焼させる利用が多いため、負荷には、輸送中の圧力から大気圧程度に減圧して供給する。この減圧を行うガバナは、都市ガスの配管網の終端に位置する。大きな負荷を有する顧客に対しては、終端に位置するガバナが専用に設置される。一般家庭など、都市ガスの需要が比較的小口の顧客に対しては、複数の顧客に対して一つのガバナが設置される。都市ガスの配管網は、長距離を輸送する幹線網と、需要に応じて都市ガスを分配する支管網など、階層化されており、圧力が異なる。階層間の減圧にもガバナが利用される。
【０００４】
図５は、都市ガス配管網で使用されるガバナの例を簡略化して示す。支管網などの一次管路１と負荷への二次管路２との間にガバナ３のパイロット室４が設けられる。パイロット室４は、リストリクタ５とパイロット弁６との間のパイロット管路７に連通する。リストリクタ５は絞りであり、一次管路１に連通する。パイロット弁６は、パイロット管路７と二次管路２との間を開閉する。パイロット室４と一次管路１および二次管路２との間には、ゴムなどの弾性体の膜で形成される弁体８が設けられる。弁体８が二次管路２側に臨む表面には、通気性を有するケージ９が設けられ、弁体８に接触して支持する。
【０００５】
パイロット弁６が閉じていると、パイロット室４には、一次管路１と同様に一次圧力Ｐ１がかかる。弁体８が一次管路１側に臨む部分には、表裏ともに一次圧力Ｐ１がかかるので、弁体８は変形しない。弁体８がケージ９に接触している部分は、一次圧力Ｐ１と二次圧力Ｐ２との差圧がかかり、弁体８はケージ９の表面に押しつけられる。パイロット弁６が開くと、パイロット管路７に少量の都市ガスが流れ、リストリクタ５による圧力降下で、パイロット室４内の圧力は、一次圧力Ｐ１よりも低下する。これによって、弁体８は、一次管路１側から押され、パイロット室４内に凹んで、一次管路１側とケージ９を介する二次管路２側との間に都市ガスの通路が形成される。都市ガスが二次管路２側に流れると、二次圧力Ｐ２は上昇する。パイロット弁６を、二次圧力Ｐ２のある範囲に応じて開閉するように圧力設定しておけば、ガバナ３全体として、都市ガスの流量が変動しても、二次圧力Ｐ２の変動を抑えることができる。
【０００６】
図６は、都市ガス配管網で設けられることが多いガバナの他の例を簡略化して示す。相対的に高圧側の一次管路１１と相対的に低圧側の二次管路１２との間にガバナ１３が設けられ、都市ガスの流量が変動しても、二次管路１２の二次圧力Ｐ２の変動を抑える作用を行う。このような整圧作用は、ダイヤフラム室１４内のダイヤフラム１５を、パイロット弁１６の開閉で一次管路１１から導入する都市ガスで変位させて行う。パイロット弁１６の開閉は、絞り１６ａおよびパイロット管路１７を介して導かれる二次管路１２の圧力に応じて行われる。ダイヤフラム１５には、弁体１８が連結され、ばね１９によって、一次管路１１と二次管路１２との間を閉じるように付勢されている。
【０００７】
二次管路１２の二次圧力Ｐ２がパイロット弁１６の設定圧より低下すると、パイロット弁１６が開き、ダイヤフラム室１４内に一次管路１１から高圧の都市ガスが導入され、ダイヤフラム１５をばね１９の付勢に抗して変位させ、弁体１８が一次管路１１と二次管路１２との間を開くようにする。この結果、一次管路１１から都市ガスが二次管路１２に流れて二次圧力Ｐ２が上昇し、パイロット弁１６が閉じるとダイヤフラム１５の変位は戻り、弁体１８は一次管路１１と二次管路１２との間を閉じる。このようなダイヤフラム１５の変位に基づく弁体１８の作用で、二次圧力Ｐ２の変動を抑えることができる。
【０００８】
本件出願人は、図５や図６に示すガバナ３，１３と同様な整圧器を複数系列並列に設ける多系列整圧器の遮断弁制御方法を、特開平１１−２８２５４３号公報で開示している。この先行技術では、多系列の整圧器に昇圧故障が生じたとき、故障を起した整圧器と同一系統の緊急遮断弁のみを作動させる。
【０００９】
しかし、故障時などの対策よりも、事前に故障などを未然に防ぐことが重要である。このため、ガバナ３，１３は定期的な分解点検などのメンテナンスを行うことが望ましく、使用環境によっては分解整備が法律によって義務付けられている。
【００１０】
【発明が解決しようとする課題】
図５や図６に示すガバナ３，１３は、充分な信頼性が得られるように製造されている。しかしながら、整圧作用を行っているときは弁体８，１８が変形したり変位したりするので、疲労などが蓄積し、使用継続とともに信頼性が低下してくる。信頼性を回復させるためには、前述のような分解整備が必要となる。
【００１１】
特定の顧客のみに都市ガスを供給するために設けられるガバナは専用ガバナと呼ばれ、その点検・整備費用は顧客負担となるため、積極的な点検・整備はあまり行われないのが現状である。ガス事業者側が保安等の観点から点検・整備を推奨しても、経過日数だけで判断する点検周期では、適切なメンテナンス時期と理解されない場合が多い。
【００１２】
特に多系列ガバナシステムを使用している場合は、通常は稼働しない待機用の系列も含まれるので、経過日数が同じでも個々のガバナの稼働率による差が有り、待機ガバナは稼働履歴の無い状態のものがほとんどであるため、ガバナ個々の点検時期の見極めを適正に行うことが要望されている。
【００１３】
本発明の目的は、個々のガバナに対して、適正な時期に点検を行うことができるガバナのメンテナンス管理方法を提供することである。
【００１４】
【課題を解決するための手段】
本発明は、流体を負荷に供給する圧力を一定に保つために設置するガバナのメンテナンス管理方法であって、
複数のガバナの稼働状態を監視し、
各ガバナ毎に累積稼働量を算出し、
算出した累積稼働量が規定値に達するガバナについて、メンテナンス管理を行うことを特徴とするガバナのメンテナンス管理方法である。
【００１５】
本発明に従えば、複数のガバナが、流体を負荷に供給する圧力を一定に保つために設置される。複数のガバナの稼働状態を監視して、各ガバナ毎に累積稼働量を算出する。算出した累積稼働量が規定値に達するするガバナについてメンテナンス管理を行うので、稼働率が高いガバナに対し、稼働率が低いガバナよりも高い頻度で、点検や整備などのメンテナンスのための管理を行うことができ、個々のガバナに対して、適正な時期にメンテナンスを行わせることができる。
【００１６】
また本発明で、前記累積稼働量は、前記ガバナから負荷への前記流体の吐出量の累積値であることを特徴とする。
【００１７】
本発明に従えば、ガバナから負荷への流体の吐出量の累積値を累積稼働量として算出するので流体の流量直接計測しながら稼働率を算出したり、ガバナの開度から換算して算出し、稼働状態の適切な把握によるメンテナンス管理を行うことができる。
【００１８】
また本発明で、前記累積稼働量は、前記ガバナの開度の累積値であることを特徴とする。
【００１９】
本発明に従えば、ガバナの開度の累積値をガバナの累積稼働量として算出するので、検出が容易なガバナの開度を元に、累積稼働量を容易に把握してメンテナンス管理を行うことができる。
【００２０】
また本発明で、前記ガバナは、複数基を並列に接続する多系列ガバナシステムを構成し、
各系列のガバナ毎に前記累積稼働量に基づくメンテナンスを行うことを特徴とする。
【００２１】
本発明に従えば、複数基のガバナを並列に接続する多系列ガバナシステムでも、各系列のガバナ毎に、累積稼働量に基づくメンテナンスを行うので、各ガバナを、稼働状態に応じて適正な時期に点検や整備を行うことができる。
【００２２】
また本発明は、前記流体は都市ガスであり、
ガバナの管理センタを開設し、
該管理センタは、
前記ガバナの稼働状態の監視を、情報通信ネットワークを介する情報収集によって行い、
前記メンテナンス管理として、整備を促す勧告を行うこと特徴とする。
【００２３】
本発明に従えば、都市ガスの顧客に対して設置される専用ガバナであっても、インターネットなどの情報通信ネットワークを介して、ガバナの管理センタが情報収集して稼働状態を監視し、累積稼働量に基づくメンテナンス管理として、管理センタから顧客に整備を促す勧告を行うので、顧客が適正な時期に点検や整備を行うようにさせることができる。
【００２４】
【発明の実施の形態】
図１は、本発明の実施の一形態でガバナのメンテナンスを行う概略的な構成を示す。本実施形態では、一次管路２１と二次管路２２との間に、３系列ガバナシステム２３が設けられる場合を想定する。第１系列３１および第２系列３２を常用し、第３系列３３は待機用とする。各系列３１，３２，３３には同等のガバナ４１，４２，４３がそれぞれ設けられ、メンテナンスの対象となる。各ガバナ４１，４２，４３の容量は、二次管路２２の負荷の容量を１００％とすると、５０％ずつとなる。各系列３１，３２，３３には、ガバナ４１，４２，４３とともに、昇圧異常時に遮断するための遮断弁５１，５２，５３（以下、図面上では「Ｖ」と略称することもある。）がそれぞれ設けられる。通常の稼働状態では、遮断弁５１，５２，５３は全開状態であり、ガバナ４１，４２，４３が動作する設定圧に差を設けて、第１系列３１および第２系列３２のガバナ４１，４２が常用として稼働し、第３系列３３のガバナ４３が待機用として通常は休止するようにしておく。
【００２５】
各ガバナ４１，４２，４３は、基本的に図５や図６に示すガバナ３，１３と同様な原理で動作し、パイロット弁６，１６に相当するパイロットガバナ（以下、図面上では「Ｐｇ」　と略称する。）６１，６２，６３がそれぞれ設けられる。本実施形態のガバナ４１，４２，４３は、パイロットガバナ６１，６２，６３の設定圧をリモートセッタ（以下、図面上では「Ｒ／Ｓ」と略称する。）７１，７２，７３で遠隔的に設定することが可能である。また、ガバナ４１，４２，４３の動作状態として、弁の開度をガバナ開度センサ８１，８２，８３によって検出することができる。
【００２６】
ガバナ４１，４２，４３として、図６に示すようなガバナ１３を用いるときは、弁体１８に連なるシャフトがダイヤフラム室１４の外部に突出しているので、その変位に基づいて弁開度を検出することができる。ガバナ４１，４２，４３として、図５に示すようなガバナ３を用いるときは、パイロット室４内で弁体１８の変形状態を検出するようにすればよい。また、ガバナ４１，４２，４３の稼働状態は、弁開度ばかりではなく、パイロット圧や流量でも検出可能である。
【００２７】
ガバナ開度センサ８１，８２，８３などによって検出されるガバナ４１，４２，４３の稼働状態は、監視装置９０に入力される。監視装置９０には、一次管路２１に設ける圧力センサ９５が検出する一次圧力Ｐ１、および二次管路２２に設ける圧力センサ９６が検出する二次圧力Ｐ２も入力される。監視装置９０は、入力される検出情報に基づいて、各ガバナ４１，４２，４３の稼働状態を監視する。コンピュータ９１は、監視装置９０からの出力に応答し、二次圧力Ｐ２が所定の圧力よりも高くなる昇圧異常が発生すると、その原因となった系列３１，３２，３３を、特開平１１−２８２５４３号公報に開示しているような方法で特定することができる。コンピュータ９１は、特定された系列３１，３２，３３に属する遮断弁５１，５２，５３を遮断させる。この結果、常用の第１系統３１または第２系統３２のいずれかが遮断されると、待機用となっていた第３系統３３のガバナ４３が稼働するようになる。
【００２８】
コンピュータ９１は、異常昇圧に対する遮断弁５１，５２，５３の制御ばかりではなく、各ガバナ４１，４２，４３に対する個々の稼働履歴に応じた点検周期の見極めのための演算処理も行う。各ガバナ４１，４２，４３の開度や圧力などの情報を常時監視すれば、たとえば次の（１）式などの計算式で、実際にガバナ４１，４２，４３を流れる都市ガスの流量Ｑを算出することができる。
【００２９】
【数１】
2004094658.tif 000003
【００３０】
ここで、Ｐ１は絶対圧の一次圧力［ＭＰａａｂｓ］であり、Ｐ２は絶対圧の二次圧力［Ｍｐａ］である。Ｃｖは弁容量係数である。Ｔ１は流体温度（℃）であり、ＳＧは空気を基準（ａｉｒ＝１）とする流体の比重である。流量Ｑは、単位時間当りで標準状態に換算した体積［ｍ３　／ｈ］として求めることができる。流量センサを設ける場合は、直接流量を検出することができる。弁容量係数Ｃｖについては、弁開度毎のＣｖ値のテーブルを予めコンピュータ９１内のメモリなどに記憶しておく。
【００３１】
（１）式で算出される流量に、時間をかけ合わせれば、吐出量を求めることができる。吐出量を時間経過とともに累積した累積吐出量は、ガバナ４１，４２，４３の稼働状態を正確に表すと想定される。ガバナ４１，４２，４３として信頼性を保証している年数では、ある平均流量が想定されているはずである。この平均流量と保証年数との積を平均延べ流量として、メンテナンスの判断基準の累積吐出量を設定する。図１の警報装置９２は、昇圧異常時の遮断に対する警報と、累積吐出量の算出に基づくガバナ４１，４２，４３のメンテナンス時期についての警報とを行う。なお、弁開度を流量に換算しないでも、弁開度とその継続時間との積算で累積開度を求め、ガバナの稼働量に対応させることもできる。
【００３２】
図２は、図１のコンピュータ９１による二次圧力Ｐ２の監視手順を示す。負荷が小さいときは第１系列３１のみ稼働し、負荷が増えるに従って第２系列３２も稼働するように、ガバナ４１，４２，４３動作状態が設定される。ステップａ０から手順を開始し、ステップａ１では、第１系列３１のガバナ開度センサ８１によって検出される出力Ｌ１が１００％未満であるか否かを判断する。Ｌ１＜１００と判断すると、ステップａ２で第２系列３２のガバナ開度センサ８２によって検出される出力Ｌ２が０％であるか否かを判断する。Ｌ２＝０と判断すると、ステップａ３で第３系列３３のガバナ開度センサ８３によって検出される出力Ｌ３が０％であるか否かを判断する。Ｌ３＝０と判断すると、ステップａ４で二次管路２２の圧力センサ９６によって検出される二次圧力Ｐ２が上限の閾値Ｐｓｅｔ（ｍａｘ）以下となっているか否かを判断する。Ｐｓｅｔ（ｍａｘ）≧Ｐ２であれば、正常な動作状態であり、ステップａ１に戻る。以上のステップａ１からステップａ４では、第１系列３１のガバナ４１のみが稼働している状態が確認される。
【００３３】
ステップａ１でＬ１＜１００でないと判断されるとき、Ｌ１＝１００であり、ガバナ４１は全開の稼働状態であり、第２系列３２のガバナ４２の稼働も開始しているはずである。ステップａ１からステップａ５に進み、第２系列３２のガバナ開度センサ８２によって検出される出力Ｌ２が１００％未満であるか否かを判断する。Ｌ２＜１００と判断すると、ステップａ６で第３系列３３のガバナ開度センサ８３によって検出される出力Ｌ３が０％であるか否かを判断する。Ｌ３＝０と判断すると、ステップａ７で二次管路２２の圧力センサ９６によって検出される二次圧力Ｐ２が上限の閾値Ｐｓｅｔ（ｍａｘ）以下となっているか否かを判断する。Ｐｓｅｔ（ｍａｘ）≧Ｐ２であれば、正常な動作状態であり、ステップａ１に戻る。以上のステップａ５からステップａ７では、第１系列３１のガバナ４１および第２系列３２のガバナ４２が稼働している状態が確認される。
【００３４】
ステップａ５でＬ２＜１００でないと判断されるとき、Ｌ２＝１００であり、ガバナ４２は全開の稼働状態であり、ステップａ８で二次管路２２の圧力センサ９６によって検出される二次圧力Ｐ２が上限の閾値Ｐｓｅｔ（ｍａｘ）以下となっているか否かを判断する。Ｐｓｅｔ（ｍａｘ）≧Ｐ２であれば、正常な動作状態であるけれども、流量が想定している負荷の１００％を超えている状態である。
【００３５】
ステップａ４でＰｓｅｔ（ｍａｘ）≧Ｐ２ではないと判断されるとき、すなわちＰｓｅｔ（ｍａｘ）＜Ｐ２と判断されるときは昇圧異常であり、その原因は第１系列３１にあると判るので、ステップａ９で遮断弁５１を閉じて、ステップａ１０で警報装置９２から遮断弁５１を遮断している旨の警報を発生させる。ステップａ７でＰｓｅｔ（ｍａｘ）≧Ｐ２ではないと判断されるとき、すなわちＰｓｅｔ（ｍａｘ）＜Ｐ２と判断されるときは昇圧異常であり、その原因は第２系列３２にあると判るので、ステップａ１１で遮断弁５２を閉じて、ステップａ１２で警報装置９２から遮断弁５２を遮断している旨の警報を発生させる。
【００３６】
ステップａ８でＰｓｅｔ（ｍａｘ）≧Ｐ２であれば、ステップａ１３で警報装置から流量オーバ警報を発生させる。Ｐｓｅｔ（ｍａｘ）≧Ｐ２でないときは、Ｐｓｅｔ（ｍａｘ）＜Ｐ２であり、昇圧異常も生じているので、ステップａ１４で警報装置９２から流量オーバとともに、二次圧力Ｐ２が昇圧異常になっている旨の警報を発生させる。
【００３７】
ステップａ２、ステップａ３、またはステップａ６でＬ２＝０、Ｌ３＝０またはＬ３＝０でないと判断されるとき、ステップａ１５、ステップａ１６またはステップａ１７でリモートセッタ７２，７３，７３をそれぞれ作動させ、パイロットガバナ６２，６３，６３の設定圧を下げる。
【００３８】
図３は、本発明の実施の他の形態であるガバナの管理システムの概略的な構成を示す。インターネット１００などの情報通信ネットワークを介して、複数の顧客設備１０１，…，１０ｎの稼働状態を監視可能にするために、顧客設備１０１，…，１０ｎには、通信装置１１０が設けられる。顧客設備１０１，…，１０ｎについて、他の構成要素は、図１の実施形態と同様であるとする。インターネット１００を介する稼働状態の監視は、管理センタ１２０を設置して集中的に行う。管理センタ１２０は、インターネット１００を介する情報通信を行って監視を行うための通信装置１３０と、コンピュータ１４０と、記憶装置１５０とを含む。コンピュータ１４０は、収集した監視情報に基づいて、記憶装置１５０を利用しながら、前述の（１）式に基づくメンテナンス時期の判断を行う。
【００３９】
図４は、図３のコンピュータ１４０によって行われる概略的な処理手順を示す。ステップｂ０から手順を開始し、ステップｂ１では各顧客設備１０１，…，１０ｎで各ガバナシステム２３の動作状態を監視する。ステップｂ２では、各ガバナシステム２３の監視データを、インターネット１００を介して管理センタ１２０が収集する。ステップｂ３では、各ガバナ毎の流量算出を行う。前述の（１）式の計算や計算に使用するテーブルデータなどは、ガバナの各機種に対応させて記憶装置１５０に記憶しておいて、機種に合わせて読出して使用すればよい。ステップｂ４では、各ガバナ毎の累積吐出量を算出する。ステップｂ５では、各ガバナ毎に、累積吐出量が規定値以上になっているか否かを判断する。累積吐出量が規定値以上になっていないと判断されるときは、ステップｂ６で前回点検整備からの経過時間を算出する。ステップｂ７では経過時間が規定時間以上となっているか否かを判断する。経過時間が規定時間以上となっていないときは、ステップｂ１に戻る。ステップｂ５で累積吐出量が規定値以上となっていると判断するとき、またはステップｂ７で経過時間が規定時間以上となっていると判断するときは、ステップｂ８で、顧客に対して点検整備実施を勧告する。経過時間を判断する規定時間は、たとえ待機用で未使用でも、一定時間が経過すれば点検整備を行うように設定する。
【００４０】
以上で説明した各実施の形態では、３系列ガバナシステム２３を設置しているけれども、単体あるいは他の数の複数系列のガバナであっても同様にメンテナンスの管理を行うことができる。また、遮断弁やリモートセッタがない場合も、同様にガバナのメンテナンス管理を行うことができる。
【００４１】
【発明の効果】
以上のように本発明によれば、複数のガバナの稼働状態を監視して、算出した累積稼働量が規定に達するガバナについてメンテナンスを行うので、稼働率が高いガバナに対し、稼働率が低いガバナよりも高い頻度で、点検や整備などのメンテナンスを行うことができ、個々のガバナに対して、適正な時期にメンテナンスを行うように管理することができる。
【００４２】
また本発明によれば、ガバナから負荷への流体の吐出量の累積値を累積稼働量として算出するので、稼働状態の適切な把握によるメンテナンス管理を行うことができる。
【００４３】
また本発明によれば、ガバナの開度の累積値をガバナの累積稼働量として算出するので、累積稼働量を容易に把握してメンテナンス管理を行うことができる。
【００４４】
また本発明によれば、複数基のガバナを並列に接続する多系列ガバナシステムでも、個々のガバナの稼働状態に応じて適正な時期に点検や整備を行うことができる。
【００４５】
また本発明によれば、都市ガスの顧客に対して設置される専用ガバナであっても、情報通信ネットワークを介して、ガバナの管理センタが稼働状態を監視し、累積稼働量に基づいて、管理センタから整備を促す勧告を行うので、顧客が適正な時期に点検や整備を行うようにさせることができる。
【図面の簡単な説明】
【図１】本発明の実施の一形態の対象となる３系列ガバナシステム２３の概略的な構成を示す配管系統図である。
【図２】図１の実施形態での二次圧力監視手順を示すフローチャートである。
【図３】本発明の実施の他の形態の対象となるガバナ監視システムの概略的な構成を示すブロック図である。
【図４】図３の実施形態での管理センタ１２０のコンピュータ１４０が行う処理手順を示すフローチャートである。
【図５】従来から用いられているガバナの概略的な構成を示す断面図である。
【図６】従来から用いられているガバナの概略的な構成を示す断面図である。
【符号の説明】
２１　一次管路
２２　二次管路
２３　３系列ガバナシステム
４１，４２，４３　ガバナ
６１，６２，６３　パイロットガバナ
７１，７２，７３　リモートセッタ
８１，８２，８３　ガバナ開度センサ
９０　監視装置
９１，１４０　コンピュータ
９２　警報装置
９５，９６　圧力センサ
１００　インターネット
１０１，…，１０ｎ　顧客設備
１１０，１３０　通信装置
１２０　管理センタ
１５０　記憶装置
【図１】
2004094658.tif 000004
【図２】
2004094658.tif 000005
【図３】
2004094658.tif 000006
【図４】
2004094658.tif 000007
【図５】
2004094658.tif 000008
【図６】
2004094658.tif 000009